(57)【要約】【課題】接続パイプの上部にも熱交換器を配置して、スペースを有効に利用できる空気調和機を提供する。【解決手段】室外に配され室内機（図示せず）と接続パイプ１１を介して接続される室外機１５の筐体４は、略コの字型の下部熱交換器２と、同じく略コの字型で背面部の長さが下部熱交換器２のそれより長い上部熱交換器３と、外気を下部熱交換器２及び上部熱交換器３の背面及び両側面より吸い込み前面もしくは天面側に吹出す送風ファン８とを内蔵し、下部熱交換器２に一方の側面を揃えて上部熱交換器３を重ねて固定し、下部熱交換器２の反対側の側面と筐体４の内側面との間に、接続パイプ１１の一部を配したもので、接続パイプ１１を本体背面に引き出す時、下部熱交換器２が邪魔にならずかつ接続パイプ１１の上部にも、上部熱交換器３が配置され、スペースを有効に活用できる。【選択図】図１
2006145128.tif 000002
【特許請求の範囲】
【請求項１】
室内に配される室内機と、室外に配され前記室内機と接続パイプを介して接続される室外機とを備え、前記室外機の筐体は、略コの字型の下部熱交換器と、同じく略コの字型で背面部の長さが前記下部熱交換器のそれより長い上部熱交換器と、外気を前記下部熱交換器及び前記上部熱交換器の背面及び両側面より吸い込み前面もしくは天面側に吹出す送風ファンとを内蔵し、前記下部熱交換器に一方の側面を揃えて前記上部熱交換器を重ねて固定し、前記下部熱交換器の反対側の側面と筐体の内側面との間に、前記接続パイプの一部を配した空気調和機。
【請求項２】
上部熱交換器の下部熱交換器の上方に位置していない部分の下方に、同部分で発生する凝縮水を回収するドレンパンを配置した請求項１に記載の空気調和機。
【請求項３】
ドレンパンの端部に、回収された凝縮水を下部熱交換器の背面側に排水する排水溝を配すると共に、前記ドレンパンの底部に前記排水溝に向かって前記凝縮水が流れるように傾斜を設けた請求項２に記載の空気調和機。
【請求項４】
ドレンパンの底部より、下部熱交換器の側面に対向する隔壁を垂下させた請求項２又は３に記載の空気調和機。
【請求項５】
隔壁に貫通孔を設けた請求項４に記載の空気調和機。
【請求項６】
隔壁の下部熱交換器側側面に、前記下部熱交換器に当接する当てリブを設けた請求項４又は５に記載の空気調和機。
【発明の詳細な説明】
【技術分野】
【０００１】
本発明は、空気調和機に関するもので、特にコの字型の熱交換器を室外機に備えた空気調和機に関するものである。
【背景技術】
【０００２】
従来の空気調和機の室外機について、図６を用いて説明する。
【０００３】
図６において、室外機は、基盤１上にコの字型の熱交換器１４を配している。熱交換器１４に囲まれた筐体４の内部には、ファンモータ取り付け板６に支持されたファンモータ７と、ファンモータ７により回転駆動される送風ファン８が設けられている。室内機（図示せず）との間で接続される接続パイプ１１を接続するための接続バルブ９は、バルブ取り付け板１０を介して仕切り板５に取り付けられている。
【０００４】
上記構成により、送風ファン７を回転させると、外気はコの字形の熱交換器１４の背面と両側面を通過し熱交換を行い筐体４の前面から吹出される。
【０００５】
そして、室内機と接続する接続パイプ１１の通るスペースを得るために、接続バルブ９のある側の熱交換器１４の側面は、室外機の筐体４をなす側面よりも接続パイプ１１が通る分だけ内側になるよう構成されている。
【０００６】
一方、熱交換器を室外機の筐体の側面まで配置する構成として、熱交換器の下部に切り欠きを設けたもの（例えば、特許文献１参照）や熱交換器を部分的に上下にカットして下部のみを内側に折り曲げたものなどがある（例えば、特許文献２参照）。
【特許文献１】特開２００３−１０６５６８号公報
【特許文献２】特開平１１−３７５０６号公報
【発明の開示】
【発明が解決しようとする課題】
【０００７】
しかしながら、図６に示された従来の空気調和機の熱交換器の構成では、接続パイプ１１の上部に、熱交換器１４と室外機の筐体４の内側面の間にスペースを生じる。製品の能力を向上させるためには、熱交換器１４のサイズを大きくすることがひとつの手段であるが、上記従来の構成では、接続パイプ１１の上に生じたスペースに有効に熱交換器を配置することが出来ないという課題があった。
【０００８】
また、上記特許文献に記載された空気調和器の熱交換器は、切欠きを設けたことあるいは下部のみを折り曲げたことにより熱交換器の端面が下部と上部で段差を生じ、循環冷媒の流路を構成する配管が複雑になるという課題があった。
【０００９】
本発明は、上記従来の課題を解決するもので、接続パイプの上部にも熱交換器を配置し、スペースを有効に利用でき、能力を向上させた空気調和機を提供することを目的とする。
【課題を解決するための手段】
【００１０】
前記従来の課題を解決するために、本発明の空気調和機は、室内に配される室内機と、室外に配され前記室内機と接続パイプを介して接続される室外機とを備え、前記室外機の筐体は、略コの字型の下部熱交換器と、同じく略コの字型で背面部の長さが前記下部熱交換器のそれより長い上部熱交換器と、外気を前記下部熱交換器及び前記上部熱交換器の背面及び両側面より吸い込み前面もしくは天面側に吹出す送風ファンとを内蔵し、前記下部熱交換器に一方の側面を揃えて前記上部熱交換器を重ねて固定し、前記下部熱交換器の反対側の側面と筐体の内側面との間に、前記接続パイプの一部を配したもので、接続パイプを本体背面に引き出す時、熱交換器が邪魔にならずかつ接続パイプの上部には、上部熱交換器が配置され、スペースを有効に活用できる。
【発明の効果】
【００１１】
本発明の空気調和機は、接続パイプの上部にも熱交換器を配置することが可能となり、スペースを有効に利用でき、能力を向上させることが出来る。
【発明を実施するための最良の形態】
【００１２】
第１の発明は、室内に配される室内機と、室外に配され前記室内機と接続パイプを介して接続される室外機とを備え、前記室外機の筐体は、略コの字型の下部熱交換器と、同じく略コの字型で背面部の長さが前記下部熱交換器のそれより長い上部熱交換器と、外気を前記下部熱交換器及び前記上部熱交換器の背面及び両側面より吸い込み前面もしくは天面側に吹出す送風ファンとを内蔵し、前記下部熱交換器に一方の側面を揃えて前記上部熱交換器を重ねて固定し、前記下部熱交換器の反対側の側面と筐体の内側面との間に、前記接続パイプの一部を配したもので、接続パイプを本体背面に引き出す時、熱交換器が邪魔にならずかつ接続パイプの上部には、上部熱交換器が配置され、スペースを有効に活用できる。
【００１３】
第２の発明は、第１の発明の上部熱交換器の下部熱交換器の上方に位置していない部分の下方に、同部分で発生する凝縮水を回収するドレンパンを配置したもので、上部に配置した上部熱交換器より滴下する凝縮水が接続パイプの上に滴下することを防止できる。
【００１４】
第３の発明は、特に、第２の発明のドレンパンの端部に、回収された凝縮水を下部熱交換器の背面側に排水する排水溝を配すると共に、前記ドレンパンの底部に前記排水溝に向かって前記凝縮水が流れるように傾斜を設けたもので、ドレンパンに溜まった凝縮水のオーバーフローを防止すると共に凝縮水を一定の位置に排水することが出来る。
【００１５】
第４の発明は、特に、第２又は第３の発明のドレンパンの底部より、下部熱交換器の側面に対向する隔壁を垂下させたもので、背面側に引き出される接続パイプが下部熱交換器の側面に触れるのを防止することが出来る。
【００１６】
第５の発明は、特に、第４の発明の隔壁に貫通孔を設けたもので、下部熱交換器の側面を通過する外気を隔壁が妨げるのを防止し熱交換能力の低下を防止することが出来る。
【００１７】
第６の発明は、特に、第４又は第５の発明の隔壁の下部熱交換器側側面に、前記下部熱交換器に当接する当てリブを設けたもので、隔壁と下部熱交換器の間に当てリブの高さに相当するスペースが確実に得られ、下部熱交換器に隔壁が接続パイプにて押し付けられ外気が下部熱交換器を通過するのを妨害するのを防止することが出来る。
【００１８】
以下、本発明の実施の形態について、図面を参照しながら説明する。なお、本実施の形態によって本発明が限定されるものではない。
【００１９】
（実施の形態１）
図１は、本発明の第１の実施の形態における空気調和機の室外機の斜視図、図２は、同空気調和機の室外機の下部・上部熱交換器の平面図、図３は、同空気調和機の室外機の正面図、図４は、同空気調和機の室外機のドレンパンの斜視図、図５は、同ドレンパンの３面図である。なお、従来例と同一部分については、同一符号を付して、その説明を省略する。
【００２０】
本実施の形態における空気調和機は、室内機（図示せず）と、その室内機と後述の接続パイプ１１を介して接続される室外機１５からなり、室外機１５は、基盤１上にコの字型の下部熱交換器２を配し、下部熱交換器２の上にコの字型の上部熱交換器３を重ね一個の熱交換器を構成している。下部熱交換器２、上部熱交換器３は基盤１、筐体４、仕切り板５に固定されている。コの字型の下部・上部熱交換器２．３に囲まれた筐体の内部にはファンモータ取り付け板６に支持されたファンモータ７と、ファンモータ７で回転駆動される送風ファン８を備えている。室内機と接続するための接続パイプ１１を接続する接続バルブ９はバルブ取り付け板１０を介して仕切り板５に取り付けられている。
【００２１】
送風ファン８の回転により外気はコの字形の下部・上部熱交換器２、３の背面、両側面を通過し熱交換を行い筐体４の前面から吹出される。
【００２２】
室内機と接続される接続パイプ１１は室外機の設置場所によって前面側、側面側又は背面側から引き出される。背面側から引き出される場合は、熱交換器と筐体の側面の間から引き出されるため、熱交換器のサイズは筐体のサイズより小さくならざるを得ない。
【００２３】
本実施の形態では、下部・上部熱交換器２、３の夫々の左側面の長さＬ１および右側面の長さＬ２は同じで、下部熱交換器２の背面部の長さＬ３を、上部熱交換器３の背面部の長さＬ４より短くなるように形成している。
【００２４】
そして、背面部の長さが短い下部熱交換器２を基盤１の上に配置し、次に背面の長さが長い上部熱交換器３を、左側面の位置を同じにして、下部熱交換器２の上に重ね、それぞれの端部を固定し、一個の熱交換器としている。
【００２５】
以上のように、接続バルブ９が配置されていない左側面側で下部熱交換器２と上部熱交換器３を重ねてあり、右側面側は、上部熱交換器３が下部熱交換器２よりはみ出た構成となっている。はみ出す寸法は、接続パイプ１１の径よりやや大きめとなっている。また、下部熱交換器２の高さは、接続パイプ１１の２本分以上の高さとなっている。そして、接続パイプ１１を、下部熱交換器２の側面と筐体４の内側面との間に配している。
【００２６】
１２は、ドレンパンで、上部熱交換器３の下部でしかも下部熱交換器２と重なっていない部分に設けられ、ビス１３にて固定されている。上部熱交換器３に発生した凝縮水は、下部熱交換器２と重なっている箇所は、下部熱交換器２に伝い流れるが、下部熱交換器２と重なっていない部分、即ち下部熱交換器２の上方に位置していない部分では、上部熱交換器３の下面から接続パイプ１１の上に滴下し更には接続パイプ１１を伝って外部に滴下するので、その部分にドレンパン１２を配置することにより、上部熱交換器３からの凝縮水の接続パイプ１１への滴下を確実に防止することが出来る。
【００２７】
ドレンパン１２の底部は、上部熱交換器３の端板３ａ側の側壁１２ａから反対側の側壁に向かって傾斜を有している。更に反対側の側壁には凝縮水を下部熱交換器２に導くための排水溝１２ｂを有しており、凝縮水がドレンパン１２よりオーバーフローすることを防止すると共に、排水溝１２ｂ側に流れ易くしている。
【００２８】
ドレンパン１２の底部には、基盤１に向かって垂下する隔壁１２ｃが形成され、この隔壁１２ｃは、接続パイプ１１が下部熱交換器２に接触するのを防止している。更にドレンパン１２には、下部熱交換器２に対向する位置に貫通孔１２ｄを有している。これにより、筐体４の右側面から下部熱交換器２を通過する外気が妨げられるのが防止される。
【００２９】
当てリブ１２ｅは、隔壁１２ｃの下部熱交換器２と対向する位置から、下部熱交換器２の側面に接する位置まで延伸し、接続パイプ１１が隔壁１２ｃを押し隔壁１２ｃが下部熱交換器２に接触し、下部熱交換器２で生じる凝縮水が隔壁１２ｃの貫通孔１２ｄを通して接続パイプ１１に落下したり、筐体４の外部に漏れるのを防止することが出来る。
【００３０】
また、隔壁１２ｃと下部熱交換器２の間に当てリブ１２ｅの高さに相当するスペースが確実に得られ、下部熱交換器２に隔壁１２ｃが接続パイプ１１にて押し付けられ外気が下部熱交換器２を通過するのを妨害するのを防止することも出来る。
【産業上の利用可能性】
【００３１】
本発明の空気調和機は、背面側に接続パイプを引き出す時でも熱交換器のサイズを大きく確保することが出来、性能向上に寄与することが出来、背面側に接続パイプを引き出す空気調和機の室外機に適用できる。
【図面の簡単な説明】
【００３２】
【図１】本発明の実施の形態１における空気調和機の室外機の斜視図
【図２】同空気調和機の室外機の下部・上部熱交換器の平面図
【図３】同空気調和機の室外機の正面図
【図４】同空気調和機の室外機のドレンパンの斜視図
【図５】（ａ）同ドレンパンの平面図（ｂ）同ドレンパンの正面図（ｃ）同ドレンパンの側面図
【図６】従来の空気調和機の室外機の斜視図
【符号の説明】
【００３３】
１  基盤
２  下部熱交換器
３  上部熱交換器
４  筐体
５  仕切り板
７  ファンモータ
８  送風ファン
９  接続バルブ
１１  接続パイプ
１２  ドレンパン
１２ａ  側壁
１２ｂ  排水溝
１２ｃ  隔壁
１２ｄ  貫通孔
１２ｅ  当てリブ
１５  室外機
【図１】
2006145128.tif 000003
【図２】
2006145128.tif 000004
【図３】
2006145128.tif 000005
【図４】
2006145128.tif 000006
【図５】
2006145128.tif 000007
【図６】
2006145128.tif 000008